(57)【特許請求の範囲】
【請求項１】
全体的にｕ形状の断面を有し、さらに長手方向の拡張を有する第１のフレーム部材であり、前記第１のフレーム部材は車両シートバックフレームにアレンジされ、かつ垂直に整列されるので、前記第１のフレーム部材の前記ｕ形状の断面は第１位置にて第１深さをさらに第２位置にて第２深さを有する第１のフレーム部材が打ち抜き加工具により打ち抜き加工され、
全体的にｕ形状の断面を有し、さらに長手方向の拡張を有する第２のフレーム部材であり、前記第２のフレーム部材は車両シートバックフレームにアレンジされ、かつ水平に整列されるので、前記第２のフレーム部材の前記ｕ形状の断面は概ね一定の深さを有する第２のフレーム部材がロール加工具によりロール加工されてなり、
前記第１のフレーム部材及び第２のフレーム部材に結合されるバックパネルが打ち抜き加工具により打ち抜き加工され、さらに打ち抜き加工されたバックパネルには、剛性の付加のために端部から間隔を空けて複数の窪みの少なくとも1つの群が設けられてなり、
前記第１のフレーム部材は概ね一定の高さの車両シートバックを有する複数種類の車両にて使用される共通部分であり、前記第２のフレーム部材は異なる幅の車両シートバックを有する複数種類の車両での使用のために車両シートバックフレームを形成するため異なる長さに切断され、
前記第２のフレーム部材のｕ形状の断面の内側に、前記第２のフレーム部材のｕ形状の断面よりも小さなｕ形状の断面を有する水平フレーム部材が取り付けられる、
複数種類の車両における使用のための車両シートバックフレームを有する車両シートバックを製造するための方法。
【請求項２】
全体的にｕ形状の断面を有し、さらに長手方向の拡張を有する第３のフレーム部材であり、前記第３のフレーム部材は前記車両シートバックフレームにアレンジされ、垂直に整列され、さらに前記第１のフレーム部材から離されるので、前記第３のフレーム部材の前記ｕ形状の断面は概ね深さが変化する第３のフレーム部材が打ち抜き加工具により打ち抜き加工され、
全体的にｕ形状の断面を有し、さらに長手方向の拡張を有する第４のフレーム部材であり、前記第４のフレーム部材は前記車両シートバックフレームにアレンジされ、水平に整列され、さらに前記第２のフレーム部材から離されるので、前記第４のフレーム部材の前記ｕ形状の断面は概ね一定の深さを有する第４のフレーム部材がロール加工具によりロール加工されることをさらに備える請求項１記載の方法。
【請求項３】
車両の第２列にて使用される車両シートバックが製造される請求項１記載の方法。
【請求項４】
車両の第３列にて使用される車両シートバックが製造される請求項１記載の方法。
【請求項５】
セダンタイプの車両の第２列及びユーティリティタイプの車両の第２列にて使用される車両シートバックが製造される請求項１記載の方法。
【請求項６】
全体的にｕ形状の断面を有し、さらに長手方向の拡張を有する第１のフレーム部材であり、前記第１のフレーム部材は車両シートバックフレームにアレンジされ、かつ垂直に整列されるので、前記第１のフレーム部材の前記ｕ形状の断面は第１位置にて第１深さをさらに第２位置にて第２深さを有する第１のフレーム部材が打ち抜き加工具により打ち抜き加工され、
全体的にｕ形状の断面を有し、さらに長手方向の拡張を有する第２のフレーム部材であり、前記第２のフレーム部材は車両シートバックフレームにアレンジされ、かつ水平に整列されるので、前記第２のフレーム部材の前記ｕ形状の断面は概ね一定の深さを有する第２のフレーム部材がロール加工具によりロール加工され、
前記第１のフレーム部材及び第２のフレーム部材に結合されるバックパネルが打ち抜き加工具により打ち抜き加工され、さらに打ち抜き加工されたバックパネルには、剛性の付加のために端部から間隔を空けて複数の窪みの少なくとも1つの群が設けられてなり、
前記第１のフレーム部材は概ね一定の高さの車両シートバックを有する複数種類の車両にて使用される共通部分であり、さらに前記第２のフレーム部材は異なる幅の車両シートバックを有する複数種類の車両にて用いられるように異なる長さに切断され、
前記第２のフレーム部材のｕ形状の断面の内側に、前記第２のフレーム部材のｕ形状の断面よりも小さなｕ形状の断面を有する水平フレーム部材が取り付けられる、
複数種類の車両における使用のための車両シートバックフレームを有する車両シートバックを製造するための方法。
【請求項７】
全体的にｕ形状の断面を有し、さらに長手方向の拡張を有する第３のフレーム部材であり、前記第３のフレーム部材は前記車両シートバックフレームにアレンジされ、垂直に整列され、さらに前記第１のフレーム部材から離されるので、前記第３のフレーム部材の前記ｕ形状の断面は概ね深さが変化する第３のフレーム部材が打ち抜き加工具により打ち抜き加工され、
全体的にｕ形状の断面を有し、さらに長手方向の拡張を有する第４のフレーム部材であり、前記第４のフレーム部材は前記車両シートバックフレームにアレンジされ、水平に整列され、さらに前記第２のフレーム部材から離されるので、前記第４のフレーム部材の前記ｕ形状の断面は概ね一定の深さを有する第４のフレーム部材がロール加工具によりロール加工される請求項６記載の方法。
【請求項８】
車両の第３列にて使用される車両シートバックが製造される請求項７記載の方法。
【発明の詳細な説明】
【技術分野】
【０００１】
（関連出願の相互参照）
本出願は、２００６年１１月１６日に出願された、モデュールシート構造及び方法という名称の米国仮特許出願第６０／８５９，４１５号の全体の参照によりその内容を本明細書に組み込んだものとする。
【背景技術】
【０００２】
本発明の開示は、全般的には車両シートの分野に関し、特に車両シートフレーム及びその製造方法並びに構造に関する。
【発明の概要】
【０００３】
本発明の開示の一具体例は車両シートフレーム設計及び構造及び車両シートフレームの製造方法に関し、第１のフレーム部材は、全体的にｕ形状の断面を有し、さらに垂直に整列され、かつ前記車両シートバックフレームの第１の側方に近接して配置され、全体的にｕ形状の断面を有する第２のフレーム部材は、垂直に整列され、前記車両シートの第２の側方に近接して配置され、全体的に一定の深さのｕ形状の断面を有し、さらに長手方向の拡張を有する第３のフレーム部材は、水平に整列され、かつ前記車両シートの第３の側方に近接して配置され、全体的に一定の深さのｕ形状の断面を有する第４のフレーム部材は、水平に整列され、前記車両シートの第４の側方に近接して配置され、さらに前記第１及び第２のシートバックフレーム部材は概ね同一の長手方向の拡張を有する第１及び第２のシートバックフレーム部材を形成するための打ち抜き加工処理を用いて製造され、前記第３及び第４のシートバックフレーム部材は長手方向の拡張がさまざまである第１及び第２のフレーム部材を形成するためのロール加工処理を用いて製造される。
【０００４】
本発明の開示の他の具体例は、前述の構成及び車両の第２列の使用のための製造方法に関する。
【０００５】
本発明の開示の他の具体例は、前述の構成及び車両の第３列の使用のための製造方法に関する。
【０００６】
本発明の開示の一具体例は、前述の構成及び全体的に一定の高さ及び、押し出しされた垂直フレームが同一で、さらにロール成形された水平フレーム部材が複数の車両のプラットホームの使用のために様々な長さでカットされるところの変化する幅を有する車両シートバックを提供するために用いられる方法に関する。
【０００７】
本発明の開示の他の具体例は、前述の構成及び全体的に一定の高さ及び、押し出しされた垂直フレームが同一で、さらにロール成形された水平フレーム部材が二つ以上の車両タイプのプラットホームの使用のために様々な長さでカットされるところの変化する幅を有する車両シートバックを提供するために用いられる方法に関する。
【図面の簡単な説明】
【０００８】
【図１】典型的な具体例に係るシートフレームを有する車両シートの概略的、等角投影図である。
【図２】６０／４０分割による低い連結での、典型的な具体例に係る車両シート用のシートフレームの等角投影図である。
【図３】６０／４０分割による高い連結での、典型的な具体例に係るシート後部フレームの前方正面図である。
【図４】４０／２０／４０分割による低いラッチ連結での、他の典型的な具体例に係る車両シートフレームの等角投影図である。
【図５】５０／５０分割による低いラッチ連結での、他の典型的な具体例に係る車両シートフレームの等角投影図である。
【図６】６０／４０分割による低いラッチ連結での、他の典型的な具体例に係る車両シートフレームの等角投影図である。
【図７】第２列位置で車両に連結された典型的な具体例に係る、低ラッチ連結での４０／６０車両シートフレームの等角投影図である。
【図８】第３列位置で車両に連結された典型的な具体例に係る、５０／５０車両シートフレームの等角投影図である。
【図９】図２のシートバックフレームを車両に連結するためのブラケットの等角投影図である。
【図１０】図２のシートバックフレームの等角投影図である。
【図１１】図２のシートバックフレームの斜視図である。
【図１２】図２のシートバックフレームの低いラッチ連結による前方正面図である。
【図１３】図３のシートバックフレームの高いラッチ結合による前方正面図である。
【図１４】典型的な具体例に係るレーザ溶着ステーションの等角投影図である。
【図１５】典型的な具体例に係るレーザ溶着操作用の固定具の等角投影図である。
【図１６】典型的な具体例に係るレーザ溶着操作の間の固定具における保持用ピンの配置を示すシートバックフレームの一部の部分的な等角投影図である。
【図１７】図１６における二つの液圧式のピンの等角投影図である。
【図１８】典型的な具体例に係る溶着されたシートバックフレームの正面図である。
【図１９】図３に示した前記フレーム内にあるような大きな水平フレーム部材を強化するために、大きな水平フレーム部材内部にぴったりと収納される、より小さな水平フレームの等角投影図である。
【図２０Ａ】図１１のシートバックフレーム用の垂直フレームの垂直概観図である。
【図２０Ｂ】図１１のシートバックフレーム用の垂直フレームの垂直概観図である。
【図２１Ａ】図１１のシートバックフレーム用の垂直フレームの垂直概観図である。
【図２１Ｂ】図１１のシートバックフレーム用の垂直フレームの垂直概観図である。
【図２２Ａ】図１１のシートバックフレームの一つの水平フレームの垂直概観図である。
【図２２Ｂ】図１１のシートバックフレームの一つの水平フレームの垂直概観図である。
【図２３Ａ】図１１のシートバックフレームの一つの水平フレームの垂直概観図である。
【図２３Ｂ】図１１のシートバックフレームの一つの水平フレームの垂直概観図である。
【図２４Ａ】図１１のシートバックフレームの他の水平フレームの垂直概観図である。
【図２４Ｂ】図１１のシートバックフレームの他の水平フレームの垂直概観図である。
【図２５Ａ】図１１のシートバックフレームの他の水平フレームの垂直概観図である。
【図２５Ｂ】図１１のシートバックフレームの他の水平フレームの垂直概観図である。
【図２６】図１１のシートバックフレームの一部用のシートバックカバーの平面図である。
【図２７】図１１のシートバックフレームの他部のシートバックカバーの上方平面図である。
【図２８Ａ】図１１のシートバックフレーム用の連結プレートの垂直概観図である。
【図２８Ｂ】図１１のシートバックフレーム用の連結プレートの垂直概観図である。
【図２９Ａ】図１１のシートバックフレーム用の連結プレートの垂直概観図である。
【図２９Ｂ】図１１のシートバックフレーム用の連結プレートの垂直概観図である。
【図３０Ａ】図１１のシートバックフレーム用のリトラクタブラケットの垂直概観図である。
【図３０Ｂ】図１１のシートバックフレーム用のリトラクタブラケットの垂直概観図である。
【図３１Ａ】図１１のシートバックフレーム用のベルトブラケットの垂直概観図である。
【図３１Ｂ】図１１のシートバックフレーム用のベルトブラケットの垂直概観図である。
【図３２Ａ】図１１のシートバックフレーム用のヘッドレストブラケットの垂直概観図である。
【図３２Ｂ】図１１のシートバックフレーム用のヘッドレストブラケットの垂直概観図である。
【図３３Ａ】図１１のシートバックフレーム用のヘッドレストブラケットの垂直概観図である。
【図３３Ｂ】図１１のシートバックフレーム用のヘッドレストブラケットの垂直概観図である。
【図３４Ａ】図１１のシートバックフレーム用のＩＳＯＦＩＸワイヤの垂直概観図である。
【図３４Ｂ】図１１のシートバックフレーム用のＩＳＯＦＩＸワイヤの垂直概観図である。
【図３５Ａ】図１１のシートバックフレーム用のＩＳＯＦＩＸブラケットの垂直概観図である。
【図３５Ｂ】図１１のシートバックフレーム用のＩＳＯＦＩＸブラケットの垂直概観図である。
【図３６】図１１のシートバックフレーム用のＩＳＯＦＩＸワイヤ組立品の等角投影図である。
【図３７Ａ】図１１のシートバックフレーム用の強化ブラケットの垂直概観図である。
【図３７Ｂ】図１１のシートバックフレーム用の強化ブラケットの垂直概観図である。
【図３８】図１１のフレーム用の強化プレートの上方平面図である。
【図３９Ａ】図１１の垂直フレーム部材と水平フレーム部材との間の結合部の部分的等角投影図である。
【図３９Ｂ】図１１の垂直フレーム部材と水平フレーム部材との間の結合部の部分的等角投影図である。
【図４０Ａ】図１１の垂直フレーム部材と水平フレーム部材との間の結合部の部分的等角投影図である。
【図４０Ｂ】図１１の垂直フレーム部材と水平フレーム部材との間の結合部の部分的等角投影図である。
【図４１】溶着部及び液圧式ピンの配置を示す図１８のシートバックフレームの平面図である。
【発明を実施するための形態】
【０００９】
図１から４１についての全体的な参照、及び特に図１の参照によると、典型的な具体例に係る車両シート２０と共に車両１０が示されている。車両１０は４ドアセダンとして示されているが、前記車両シート２０は、いかなる他のシート用途はもちろん、ミニバン、スポーツユーティリティ又はいかなるタイプの車両にも使用されるのを理解すべきである。前記車両シート２０は、一つ以上のシートバック部３０、さらにシート部４０を含む。
【００１０】
特に、図２及び１２を参照すると、特にユーティリティビークルであるような、車両１０のために用いられる前記シート２０のための車両シートフレーム５０が示されている。前記車両シートフレーム５０は、一つ以上のシートバックフレーム６０と、一つ以上のシートベースフレーム７０と、選択的に、前記シートバックフレーム６０からシートベースフレーム７０の一つを車両シート１０に結合するための一つ以上のブラケット８０を備えている。
【００１１】
前記車両シートフレーム５０及び前記シートバックフレーム６０は、異なる具体例間でも多くの共通部分を保持しながら、モジュール式構造で、さらにいろいろな車幅及び形状に適合するために設計される。図２に示される一つの典型的な具体例によると、ベンチタイプの車両シート２０は、おおよそ４０／６０分割で二つの部分に水平に分割され、かつシートバックフレーム６０は車両１０と前記シートバックフレーム６０の底部６１近くに連結されている。他の典型的な具体例によると、ベンチタイプ車両シート２０は、５０／５０分割（図５に示す）又は４０／２０／４０分割（図４に示す）を含むがこれには限定されない他の仕様で分割されてもよい。他の典型的な具体例によると、前記車両シート２０は図１に示すようなキャプテンタイプシート２２や、あるいは図３及び図１３に示されるように、前記車両シートバック３０が前記車両の内装を再構成するために畳まれるようなセダンタイプ車両１０の第２列に使われるような、前記シートバックフレーム６０のトップ６２近くで車両１０にラッチするために構成されてもよい。
【００１２】
今、特に図２を参照すると、車両シートフレーム５０は、一典型的な具体例に係り図示される。シートフレーム５０は、乗員を支持するための構成のシートベースフレーム７０を備え、さらに発泡性クッション（図示せず）や装飾カバー（図示せず）のような弾力性のある支持構成を備える。前記シート２０は、前記シートベースフレーム７０から下に向かって伸びる複数の脚部８２及び前記車両１０に前記複数脚部８２を連結するために構成される複数のブラケット８３を備える。前記シートベースフレーム７０は、前記シートベース部４０に対して前記シートバック部３０を、乗員に選択的及び角度的に位置を定めさせる図２、５及び９に最もよく示されるようなリクライン機構９０を備える前記シートバックフレーム６０に連結される。手動の繰り返しとして、不連続のリクライン機構９０が示されるが、（手動又は自動を問わず）いかなる適切なリクライナ装置が用いられてもよい。
【００１３】
特に、図１１、１２及び１３を参照すると、一典型的な具体例に係る、複数のシートバックフレーム６０の一対が示されている。各シートバックフレーム６０は、乗員の背中を支持するために構成されるシートバック部３０を提供するために、発泡性クッション及び装飾性カバー（図示せず）によって通常仕上げられる。各シートバックフレーム６０は、バックパネル１６０、垂直フレーム部材１８０、水平フレーム部材２００、及び複数の付加的なブラケット及び支持部を適切に備える。
【００１４】
前記垂直フレーム部材１８０は打ち抜き成形（又は圧縮成形）処理を用いて形成され、前記水平フレーム部材２００はロール成形処理を用いて形成される。第１列目でない車両シートは通常均一な高さを有し、車両から車両の間、及び異なるアプリケーションでさえ、前記垂直フレーム部材１８０は、これらいろいろなアプリケーションの全てにあって同様又は同一である。しかし、車両、及び車両の第１列目でないシートは特に、車両間、及び異なるアプリケーション間では全般的に不均一な幅を持つ。このため、前記車両シートバックフレーム６０の前記水平フレーム部材２００は、さまざまな車両用及び異なるシート幅を必要とするさまざまなアプリケーション用に多くの異なる長さを有する。
【００１５】
一典型的な具体例によれば、前記水平フレーム部材２００をロール成形することにより、所望とされる各シートバックフレーム６０幅用に所望とされる長さで、各水平フレーム部材２００を切断することができる。あるいは、無駄の無い長さで（つまり、より小さな複数のピース）切断される標準サイズ長さの水平フレーム部材２００を生産できる。
【００１６】
一つの他の典型的な具体例によると、前記水平フレーム部材２００は、平坦な、予め形成された半加工品から打ち抜かれる。前記水平フレーム部材２００は、一つの車両シートバックフレーム６０から他に、種々の幅を有するので、打ち抜き（スタンプ）用工作機械は、前記水平フレーム部材２００用に要求された幅の範囲のうちの最も大きな水平幅を収納するために好ましくは設計される。前記打ち抜き用工作機械幅より狭い長さを有する水平フレーム部材２００が形成されると、前記平坦で、前記水平フレーム部材２００が形成された予め形成された半加工品は大きな打ち抜き用工作機械幅が配置され、形成される型にシンプルに置かれ、さらに前記打ち抜き用工作機械のいくつかの部分が使用されなくなる。図２４ａに最も適切に示されるように、前記水平フレーム部材２００が一定深さのＵ形状の断面２０２を有するので、この方法は容認可能である。ここに説明された、いくつかの処理は限定を意味するものではなく、さらに前記垂直及び水平フレーム部材１８０及び２００は、それぞれ、標準的な垂直フレーム部材１８０の機能及び水平フレーム部材２００の種々の幅を提供する限りにおいて、様々な処理により形成されることを理解すべきである。
【００１７】
特に、図２０及び２１を参照すると、一典型的な具体例に係る垂直フレーム部材１８０が示されている。この垂直フレーム部材１８０は、初めに平坦な、パターン化されたスチール半加工品を生成し、その後、前記半加工品を打ち抜いて（直接的に又は次第に）、前記垂直フレーム部材１８０の少なくとも一部にわたり一定に変化する深さを有するＵ型形状の断面１８１を有する垂直フレーム部材１８０の形状にする、打ち抜き加工により形成される。二つの垂直フレーム部材１８０は、シートバック部材１６０の垂直端部近傍でシートバック部材１６０に連結される。一つ（又は以上）の補助的な垂直フレーム支持部１８６が、補助的な強度及び剛性を前記シートバック部材１６０に付加するために提供される。前記垂直フレーム支持部１８６は、好ましくは前記垂直フレーム部材１８０と同一及び別の形状を有する。
【００１８】
垂直フレーム部材１８０は、全体的にｕ形状の断面１８１と、さらに前記垂直フレーム部材１８０の前記バックパネル１６０及び前記水平フレーム部材２００への接続を容易にするために外側に伸びているフランジ１８２とを有している。シートのバックフレーム６０の下の方で前記車両１０に回転可能に結合するシートのバックフレーム６０を伴うシート２０の具体例のため、前記垂直フレーム部材１８０は全体的に先細り（tapered：テーパ）とされた側面を有し、さらに前記側面の深さは底部端１８３に接近するほど深くなる。垂直フレーム部材１８０は、上部端１８４に加えられる力及びモーメントに比較して前記底部端１８３に加えられる増加された力及びモーメントをうまく扱うために前記底部端１８３に向かってより深くなる側部を有する。前記上部端１８４は、前記シート２０の重量を減らすために、使用される材料を減らすための浅い深さを有する。
【００１９】
ここで特に図２２から２５を参照すると、一典型的な具体例に係る水平フレーム部材２００が示されている。前述したように、一典型的な具体例によれば、前記水平部材２００は好ましくはロール成形処理を用いて形成される。二つの水平部材２００は前記バックパネル１６０の上部及び底部端の近くで前記バックパネル１６０に結合される。水平フレーム部材２００は、好ましくはｕ形状（又は「ハット」形状）の断面２０１及び前記バックパネルに水平フレーム部材２００を結合するのを容易にするために外に向かって延びる複数のフランジを有する。前記水平フレームの少なくとも一部は、前記バックパネル１６０の片持ち部又は左右延設部を支持するために前記垂直フレーム部材１８０を通り過ぎて外側に延びる。前記複数の水平フレーム部材２００は、それら前記フレーム部材２００が形成するところの前記フレーム部の幅に依存する異なる長さを有する。図２２から２３は、図１１の６０／４０のシートバックフレームの６０％部分用の複数の水平フレーム部材２００を示し、一方図２４から２５は前記小さな方の４０％部分用の複数の水平フレーム部材を示す。
【００２０】
図２６から２７を参照すると、一典型的な具体例に係るバック部材（パネル又はパン）が示されている。前記バックパネル１６０は、前記バックフレーム６０の主本体部を形成するために、前記水平及び垂直フレーム部材２００及び１８０にそれぞれ結合されている。一典型的な具体例によると、前記バックパネル１６０は、全体的にフラットで、そこに形成される機能を持つ平坦な本体である。典型的なシートフレームにあって、前記バックパネルは打ち抜き加工処理が施された金属材料で、さらに、前記バックパネルは複数のリブ又は、前記バックパネルを強化するが前記バックパネルの全体的な深さを増やす原因を作る他の強化機能を有する。複数のリブの使用は、非平坦な表面をもたらし、他のパネル部材が、椅子張り用品又はクラスＡ面（クラスＡサーフェース）を作り出す仕上げ加工用の平坦面を提供するために前記バックパネルに結合されてもよい。
【００２１】
一典型的な具体例によれば、前記バックパネル１６０は複数の相対的に浅い窪み又は窪み１６３を備える。前記窪み１６３は前記バックフレームに剛性を付加するために前記バックパネル１６０の選択的領域に設けられるが、前記バックパネル１６０が椅子張り用品又は他の仕上げ加工材料が適用されるところの全体的に平坦表面を保持するのに十分なほどの浅さである。バックパネル１６０は、バックパネル１６０に補助的な剛性を付加するために形成されるカールされた端部１６４も有する。バックパネル１６０、垂直フレーム部材１８０、及び水平フレーム部材２００は、前記バックフレーム６０の主本体を形成する。前記バックフレーム６０は、さらに複数のブラケット、及び前記バックパネル１６０、垂直フレーム部材１８０及び水平フレーム部材２００に結合される他の複数の部品を、他の機能を提供するために含む。
【００２２】
図２８から２９によれば、一典型的な具体例に係る結合プレート２２０が示される。前記結合プレート２２０は、前記垂直フレーム部材１８０への傾斜部６１の、ボルト、リベット又は他の適切な固締及び／又は溶着のような取り付け手段による結合を容易にする。ここで、特に図３０によると、一典型的な具体例に係るシートベルト自動巻き込み装置用ブラケット２４０が示される。前記シートベルト自動巻き込み装置用ブラケット２４０は、前記バックパネル１６０に結合され、さらに前記車両シート２０の中間の乗員用のシートベルト自動巻き込み装置に取り付け面を設け、またさらに前記シートバックフレーム６０と一体化する適切な設計とされる。
【００２３】
ここで、特に図３１を参照すると、一典型的な具体例に係るシートベルト出口ブラケット２５０が示されている。前記シートベルト出口ブラケット２５０は、前記上部水平フレーム部材２００に結合され、さらに前記巻き込み装置２４２から前記シートバックの上部面（ここに示される）内の開口を介してシートベルトをガイドする。
【００２４】
ここで、特に図３２から３３を参照すると、一典型的な具体例に係る、ヘッドレストブラケット２６０及び２７０が示される。ヘッドレストブラケット２６０及び２７０は前記上部水平フレーム部材２００にも結合され、さらにヘッドレスト２６２を前記シートバックフレーム６０に結合する。種々の典型的な具体例によれば、異なるタイプのヘッドレスト２６２が前記シートバックフレーム６０に結合される。例えば、前記ヘッドレストブラケット２７０は、調整可能ブラケット（図３３Ａ及び３３Ｂに示すような）又は、関節でつながれるヘッドレストブラケット２６０（図３２Ａ及び３２Ｂに示すような）でもよい。
【００２５】
ここで、特に図３４から３６を参照すると、典型的な具体例に係る、ISOFIX（又はLATCH）バー組み立て体２８０が示される。前記ISOFIX組み立て体２８０は好ましくは前記下部水平フレーム部材に結合され、さらに子供用安全ベルトが取り付けられる機能をISOFIXワイヤ２８３に提供する。ここで、特に図３７及び３８を参照すると、典型的な具体例に係る、補強部材３１０及び３２０が示される。前記補強部材３１０及び３２０は、選択的に配置され、さらに供与されるシートバックフレーム６０に適宜合わせて最終組み立て体に強度を与えるために前記シートバックフレーム６０に結合される。前記補強部材３１０及び３２０は、好ましくは、レーザ溶着を含めた適切な溶着技術を用いて前記シートバックフレーム６０に溶着される。
【００２６】
前述したように、前記シートバックフレーム６０は、前記バックフレーム６０が車両に結合されるハイロック連結により図３及び１３に示されるような前記バックフレームの上部近くに構成される。ハイロックアプリケーション用のシートバックフレーム６０が示されている。ハイロック連結組み立て体を有する前記フレーム６０上の力は、ローロック（傾斜機構）連結を有する前記フレーム６０上の力とは異なるので、前記水平及び垂直フレーム部材２００及び１８０は、それぞれ、異なるか或いは異なって配置される。それにもかかわらず、典型的な具体例の前記シートバックフレーム６０のためには、前記ローロックシートバックフレーム６０用にロール成形された上部水平フレーム部材２００を形成するために、さらに前記ハイロックシートバックフレーム６０用に前記水平フレーム部材２００を形成するために同一の工作機械が使用される。
【００２７】
ここで、特に図１９を参照すると、ローロックアプリケーション用に、より大きな力が前記上部水平フレーム部材２００を伝達する。しかし、典型的な具体例用に、２つの水平フレーム部材２００が、第１の外側としてのより大きな断面を有する水平フレーム部材４２０、第２の内側としての比較的小さな断面を有する水平フレーム部材４２４が示されている。前記第２の、又は補強用の、水平フレーム部材４２４は、前記第１の水平フレーム部材４２０の内部にぴったりと収まりさらに、前記第１の水平フレーム部材４２０を補強する。この組み合わせは、重量が軽減されるので改善された比強度を有する車両シートバックフレーム６０を提供すると同時に、より広範囲の設計及び製造の柔軟性を提供する。
【００２８】
前記バックフレーム６０及びその構成部品は、好ましくは高い又は超高い強度のスチール及び／又は図１４から１８及び４１に示すようなレーザ溶着によって概ね組み立てられる構成とされるが、いかなる適切な材料から構成されても、さらにいかなる適切な処理を用いて組み立てられてもよい。
【００２９】
典型的な具体例によれば、単一の固定機械５００が複数の固定機械又は移動手段を不要として前記単一の固定機械内にて前記フレームを組み立てるためのレーザ溶着動作の大部分を行なうために好ましくは使用される。一つの具体的な固定機械５００が図１５に示されている。前記バックパネル１６０に概ね直交する溶着面を有する、より小さな仮組み立て体が前記固定機械の中に載置され、溶着され、その後、取り除かれ、前記シートバックフレーム６０の残りに溶着されるために前記固定機械１６０内で向きを変えられる。前記固定機械は基体５０５及び、前記シートバックフレーム６０を構成する部品を閉じ込める蓋５１０を備える。前記基体５０５は、図１６及び１７に示すように固定された前記フレームを全体的に保持するための蓋５１０内の固定ピンに対して前記シートバックフレーム６０を閉じ込めるところの複数の液圧式ピン５１５を備える。前記固定機械５００の前記蓋５１０は、さらに複数のスロット又は開口を備える。
【００３０】
図１４を参照すると、前記固定機械の上方のレーザ源からレーザ光が前記フレーム６０を溶着するために前記スロットをとおして照射される。前記溶着処理は、前記フレーム６０を形成するために必要とされる溶着の合計長さを最小化するように構成される。前記フレーム６０の構成部品は、全ての溶着された結合部が薄い／薄い結合又は厚い／厚い結合（すなわち、全ての結合部は、底部の厚さ以下の厚さを持つ上部を有する）のように配置される。他の具体例の中で示される、フレーム６０は、複数の高価なレーザ溶着ステーションの必要性を排除しながらも、目視線が単一のレーザ溶着ステーションにて一つのレーザから形成されるように配置される。図４１には、前記固定機械内における前記シートバックフレーム６０をレーザ溶着するための溶着部及び前記ピン５２５の配置を示す。
【００３１】
一典型的な具体例にあっては、前記シートバックフレーム６０及び水平及び垂直フレーム部材２００及び１８０は、それぞれ、フィットするように設計された端部を備えるために設計され、さらにレーザ溶着及び固定機械５００を用いて恒久的に結合される。図３９及び４０に好適に示されるように、外側の垂直フレーム部材１８０と上部水平フレーム部材２００の間の上部の結合部２０８は、前記垂直フレーム部材１８０が前記水平フレーム部材２００に非常に近接して重ねられるのを助ける。同様に、前記フレーム部材間の下部の結合部２０９は、図４０Ａ及び４０Ｂに示されるように、部品のレーザ溶着のために部品が接近して重ねられるのを助ける。
【００３２】
前記シートバックフレーム６０は、この技術分野に共通の機能を多数適応させることができる。前記シートバックフレーム６０は、平坦なストウ、フリップ及びホールド、ホールド及びタンブル、及び他の構造を適応させることができる。前記シートバックフレーム６０は、必要ならば前記バックパネル１６０内に開口部を付加することによって様々なパススルーシステムを適応することもできる。
【００３３】
最も好適な具体例を含め、開示された様々な具体例に示された車両シートバックフレームを形成するためのプロセスの複数要素の構成及び組み立ては、説明に役立つことを意図したものである。本発明の２、３の開示は、この明細書において詳細に説明された。この開示を検討した当業者は、新しい教唆及び後述する特許請求の範囲によってのみ制限される開示の優位性から外れることなく変更が可能であることを容易に理解することができる。
【図１】
0005806803.tif 000002
【図２】
0005806803.tif 000003
【図３】
0005806803.tif 000004
【図４】
0005806803.tif 000005
【図５】
0005806803.tif 000006
【図６】
0005806803.tif 000007
【図９】
0005806803.tif 000008
0005806803.tif 000009
0005806803.tif 000010
【図１０】
0005806803.tif 000011
【図１１】
0005806803.tif 000012
【図１２】
0005806803.tif 000013
【図１３】
0005806803.tif 000014
【図１４】
0005806803.tif 000015
【図１５】
0005806803.tif 000016
【図１６】
0005806803.tif 000017
【図１７】
0005806803.tif 000018
【図１８】
0005806803.tif 000019
【図１９】
0005806803.tif 000020
【図２０ａ】
0005806803.tif 000021
【図２０ｂ】
0005806803.tif 000022
【図２１ａ】
0005806803.tif 000023
【図２１ｂ】
0005806803.tif 000024
【図２２ａ】
0005806803.tif 000025
【図２２ｂ】
0005806803.tif 000026
【図２３ａ】
0005806803.tif 000027
【図２３ｂ】
0005806803.tif 000028
【図２４ａ】
0005806803.tif 000029
【図２４ｂ】
0005806803.tif 000030
【図２５ａ】
0005806803.tif 000031
【図２５ｂ】
0005806803.tif 000032
【図２６】
0005806803.tif 000033
【図２７】
0005806803.tif 000034
【図２８ａ】
0005806803.tif 000035
【図２８ｂ】
0005806803.tif 000036
【図２９ａ】
0005806803.tif 000037
【図２９ｂ】
0005806803.tif 000038
【図３０ａ】
0005806803.tif 000039
【図３０ｂ】
0005806803.tif 000040
【図３１ａ】
0005806803.tif 000041
【図３１ｂ】
0005806803.tif 000042
【図３２ａ】
0005806803.tif 000043
【図３２ｂ】
0005806803.tif 000044
【図３３ａ】
0005806803.tif 000045
【図３３ｂ】
0005806803.tif 000046
【図３４ａ】
0005806803.tif 000047
【図３４ｂ】
0005806803.tif 000048
【図３５ａ】
0005806803.tif 000049
【図３５ｂ】
0005806803.tif 000050
【図３６】
0005806803.tif 000051
【図３７ａ】
0005806803.tif 000052
【図３７ｂ】
0005806803.tif 000053
【図３８】
0005806803.tif 000054
【図３９ａ】
0005806803.tif 000055
【図３９ｂ】
0005806803.tif 000056
【図４０ａ】
0005806803.tif 000057
【図４０ｂ】
0005806803.tif 000058
【図４１】
0005806803.tif 000059